(57)【特許請求の範囲】
【請求項１】
ファクシミリ通信にＩＰアドレスを利用するファクシミリ装置であって、
相手先装置に設定されているＩＰアドレスと前記ファクシミリ装置に設定されているＩＰアドレスとを利用して、前記相手先装置から送信されてくるファクシミリを受信する通信部と、
前記通信部がファクシミリを受信すべき前記相手先装置に設定されているＩＰアドレスが予め登録されているＩＰアドレス登録部と、
前記相手先装置が前記ファクシミリ装置にファクシミリを送信してきたとき、前記相手先装置に設定されているＩＰアドレスを取得するＩＰアドレス取得部と、
前記相手先装置に設定されているファクシミリ番号を前記ファクシミリ装置に通知しないで、前記相手先装置が前記ファクシミリ装置にファクシミリを送信してきたとき、前記ＩＰアドレス取得部が取得したＩＰアドレスと一致するＩＰアドレスが前記ＩＰアドレス登録部に登録されていない場合、前記通信部にファクシミリの受信を拒否させ、登録されている場合、前記通信部にファクシミリを受信させる処理である受信拒否処理をする受信拒否処理部と、
ファクシミリを自動で受信する自動受信モードと手動で受信する手動受信モードとを選択的に実行する受信モード実行部と、を備え、
前記受信拒否処理部は、前記自動受信モードの場合に前記受信拒否処理をし、前記手動受信モードの場合に前記受信拒否処理をしない、
前記通信部は、ＳＩＰを用いて前記相手先装置とファクシミリ通信及び電話通信を実行し、
前記通信部と前記相手先装置との間で前記ＳＩＰによるセッションが確立した状態で、(ａ)前記通信部が、前記電話通信を実行し、かつ、前記相手先装置に設定されているファクシミリ番号が前記ファクシミリ装置に通知されないで、前記手動受信モードで前記相手先装置から送信されてくるファクシミリを受信する場合、前記ＩＰアドレス登録部は、前記ＩＰアドレス取得部が取得したＩＰアドレスを登録し、(ｂ)前記通信部が、前記電話通信を実行し、かつ、前記相手先装置に設定されているファクシミリ番号が前記ファクシミリ装置に通知されて、前記手動受信モードで前記相手先装置から送信されてくるファクシミリを受信する場合、前記ＩＰアドレス登録部は、前記ＩＰアドレス取得部が取得したＩＰアドレスを登録しないファクシミリ装置。
【請求項２】
操作部と、
前記相手先装置に設定されているファクシミリ番号が前記ファクシミリ装置に通知されないで、前記相手先装置から送信されてくるファクミリに対して、前記通信部に受信を拒否させる設定を受信拒否設定とし、前記操作部が操作されることにより前記受信拒否設定がされる受信拒否設定部と、を備え、
前記受信拒否設定がされている場合に、前記受信拒否処理部は、前記受信拒否処理をする請求項１に記載のファクシミリ装置。
【発明の詳細な説明】
【技術分野】
【０００１】
本発明は、ファクシミリ通信にＩＰ(Internet Protocol)アドレスを利用するファクシミリ装置に関する。
【背景技術】
【０００２】
Ｇ３ファクシミリのようなアナログ電話回線を利用したファクシミリ通信が広く利用されているが、近年、インターネットやイントラネットの発展により、メールアドレスを利用したファクシミリ通信やＩＰアドレスを利用したファクシミリ通信が普及している。
【０００３】
ファクシミリ装置は、自局番号の通知機能を有する。自局番号の通知機能とは、ファクシミリ装置に、そのファクシミリ装置に設定されているファクシミリ番号(自局番号)を予め登録しておくことにより、そのファクシミリ装置がファクシミリを送信したときに、自局番号を相手先ファクシミリ装置に通知する機能である。
【０００４】
この機能は、逆に言えば、相手先ファクシミリ装置に、その相手先ファクシミリ装置に設定されているファクシミリ番号が予め登録されていることにより、相手先ファクシミリ装置から送信されてくるファクシミリを受信するときに、相手先ファクシミリ装置の自局番号が通知される機能である。
【０００５】
また、ファクシミリ装置は、受信拒否機能を有する。受信拒否機能とは、ファクシミリを受信したくない相手先ファクシミリ装置に設定されているファクシミリ番号を、ファクシミリ装置に予め登録しておくことにより、その相手先ファクシミリ装置から送信されてくるファクシミリの受信を拒否する機能である。
【０００６】
予告なしに一方的に送られてくる広告宣伝を目的とするファクシミリ(ジャンクファックス)が問題となっている。
【０００７】
ジャンクファックスの受信を拒否できるファクシミリ装置として、相手先のオペレータを確認できた状態でファクシミリを受信する場合、ダイレクトメール防止手段を作動させず、相手先のオペレータを確認できない状態でファクシミリを受信する場合、ダイレクトメール防止手段を作動させる技術が提案されている(例えば、特許文献１参照)。
【先行技術文献】
【特許文献】
【０００８】
【特許文献１】特開平６−６５６１号公報
【発明の概要】
【発明が解決しようとする課題】
【０００９】
ジャンクファックスを送信してくる相手先ファクシミリ装置は、自局番号を通知すれば、その番号が受信拒否の対象とされるので、その相手先ファクシミリ装置には自局番号が意図的に登録されていない。このような相手先ファクシミリ装置は、自局番号を通知しないでファクシミリを送信する。
【００１０】
そこで、受信拒否機能には、自局番号を通知しないで送信されてくるファクシミリに対して、受信を拒否する機能が含まれる。
【００１１】
ファクシミリ装置に自局番号を登録していなくても、ファクシミリ通信ができるので、自局番号の登録を忘れていることがある。
【００１２】
このような相手先ファクシミリ装置からファクシミリが送信されてくる場合、自局番号を通知しないで送信されてくるファクシミリの受信を拒否する設定がファクシミリ装置にされていれば、ファクシミリ装置はファクシミリの受信を拒否する。すなわち、ジャンクファックスの受信を拒否するために、自局番号を通知しないで送信されてくるファクシミリの受信を拒否する設定をすることにより、本来、受信すべきファクシミリを受信できないことになる。
【００１３】
本発明は、ジャンクファックスの受信を拒否しつつ、自局番号の登録を忘れている相手先装置から送信されてくるファクシミリを受信できるファクシミリ装置を提供することを目的とする。
【課題を解決するための手段】
【００１４】
上記目的を達成する本発明に係るファクシミリ装置は、ファクシミリ通信にＩＰアドレスを利用するファクシミリ装置であって、相手先装置に設定されているＩＰアドレスと前記ファクシミリ装置に設定されているＩＰアドレスとを利用して、前記相手先装置から送信されてくるファクシミリを受信する通信部と、前記通信部がファクシミリを受信すべき前記相手先装置に設定されているＩＰアドレスが予め登録されているＩＰアドレス登録部と、前記相手先装置が前記ファクシミリ装置にファクシミリを送信してきたとき、前記相手先装置に設定されているＩＰアドレスを取得するＩＰアドレス取得部と、前記相手先装置に設定されているファクシミリ番号を前記ファクシミリ装置に通知しないで、前記相手先装置が前記ファクシミリ装置にファクシミリを送信してきたとき、前記ＩＰアドレス取得部が取得したＩＰアドレスと一致するＩＰアドレスが前記ＩＰアドレス登録部に登録されていない場合、前記通信部にファクシミリの受信を拒否させ、登録されている場合、前記通信部にファクシミリを受信させる処理である受信拒否処理をする受信拒否処理部と、を備える。
【発明の効果】
【００１５】
本発明によれば、ジャンクファックスの受信を拒否しつつ、自局番号の登録を忘れている相手先装置から送信されてくるファクシミリを受信できる。
【図面の簡単な説明】
【００１６】
【図１】本実施形態に係る画像形成装置の内部構造の概略を説明する説明図である。
【図２】図１に示す画像形成装置の構成を示すブロック図である。
【図３】相手先装置に設定されているＩＰアドレスを、ＩＰアドレス登録部に登録する動作について説明するフローチャートである。
【図４】自局番号非通知のファクシミリの受信を拒否する処理(第２の受信拒否処理)を説明するフローチャートである。
【発明を実施するための形態】
【００１７】
以下、図面に基づいて本発明の実施形態を詳細に説明する。図１は、本発明の一実施形態に係る画像形成装置１(ファクシミリ装置の具体例)の内部構造の概略を説明する説明図である。画像形成装置１は、例えば、コピー、スキャナー及びファクシミリの機能を有するデジタル複合機に適用することができる。画像形成装置１は、装置本体１００、装置本体１００の上に配置された原稿読取部２００、原稿読取部２００の上に配置された原稿給送部３００及び装置本体１００の上部前面に配置された操作部４００を備える。
【００１８】
原稿給送部３００は、自動原稿送り装置として機能し、原稿載置部３０１に置かれた複数枚の原稿を連続的に原稿読取部２００で読み取ることができるように送ることができる。
【００１９】
原稿読取部２００は、露光ランプ等を搭載したキャリッジ２０１、ガラス等の透明部材により構成された原稿台２０３、不図示のＣＣＤ(Charge Coupled Device)センサー及び原稿読取スリット２０５を備える。原稿台２０３に載置された原稿を読み取る場合、キャリッジ２０１を原稿台２０３の長手方向に移動させながらＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは読み取った原稿を画像データとして出力する。
【００２０】
装置本体１００は、用紙貯留部１０１、画像形成部１０３及び定着部１０５を備える。用紙貯留部１０１は、装置本体１００の最下部に配置されており、用紙の束を貯留することができる用紙トレイ１０７を備える。用紙トレイ１０７に貯留された用紙の束において、最上位の用紙がピックアップローラー１０９の駆動により、用紙搬送路１１１へ向けて送出される。用紙は、用紙搬送路１１１を通って、画像形成部１０３へ搬送される。
【００２１】
画像形成部１０３は、搬送されてきた用紙にトナー画像を形成する。画像形成部１０３は、感光体ドラム１１３、露光部１１５、現像部１１７及び転写部１１９を備える。露光部１１５は、画像データ(原稿読取部２００から出力された画像データ、ファクシミリ受信の画像データ等)に対応して変調された光を生成し、一様に帯電された感光体ドラム１１３の周面に照射する。これにより、感光体ドラム１１３の周面には、画像データに対応する静電潜像が形成される。この状態で感光体ドラム１１３の周面に現像部１１７からトナーを供給することにより、周面には画像データに対応するトナー像が形成される。このトナー像は、転写部１１９によって先ほど説明した用紙貯留部１０１から搬送されてきた用紙に転写される。
【００２２】
トナー像が転写された用紙は、定着部１０５に送られる。定着部１０５において、トナー像と用紙に熱と圧力が加えられて、トナー像は用紙に定着される。用紙はスタックトレイ１２１又は排紙トレイ１２３に排紙される。
【００２３】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００２４】
操作キー部４０１には、ハードキーからなる操作キーが設けられている。具体的には、スタートキー４０５、テンキー４０７、ストップキー４０９、リセットキー４１１、コピー、スキャナー及びファクシミリを切り換えるための機能切換キー４１３等が設けられている。
【００２５】
スタートキー４０５は、コピー、ファクシミリ送信等の動作を開始させるキーである。テンキー４０７は、コピー部数、ファクシミリ番号等の数字を入力するキーである。ストップキー４０９は、コピー動作等を途中で中止させるキーである。リセットキー４１１は、設定された内容を初期設定状態に戻すキーである。
【００２６】
機能切換キー４１３は、コピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信の初期画面が表示部４０３に表示される。
【００２７】
図２は、図１に示す画像形成装置１の構成を示すブロック図である。画像形成装置１は、装置本体１００、原稿読取部２００、原稿給送部３００、操作部４００、制御部５００及び通信部６００がバスによって相互に接続された構成を有する。装置本体１００、原稿読取部２００、原稿給送部３００及び操作部４００に関しては既に説明したので、説明を省略する。
【００２８】
通信部６００は、ＩＰ(Internet Protocol)ネットワーク５を介して不特定多数の相手先装置３と接続されている。相手先装置３は、ファクシミリ機能を有する装置であり、例えば、ファクシミリ機、ファクシミリ機能を有する複合機、ファクシミリ機能を有するパソコンである。
【００２９】
通信部６００は、ＳＩＰ(Session Initiation Protocol)及びＩＰネットワーク５を用いて、相手先装置３とファクシミリ通信を実行する。このように、本実施形態に係る画像形成装置１は、ファクシミリ通信にＩＰ(Internet Protocol)アドレスを利用する。すなわち、通信部６００は、相手先装置３に設定されているＩＰアドレスと画像形成装置１に設定されているＩＰアドレスとを利用して、相手先装置３から送信されてくるファクシミリを受信したり、相手先装置３にファクシミリを送信したりする。また、通信部６００は、ＳＩＰ及びＩＰネットワーク５を用いて、相手先装置３と電話通信を実行する。
【００３０】
制御部５００は、ＣＰＵ(Central Processing Unit)、ＲＯＭ(Read Only Memory)、ＲＡＭ(Random Access Memory)及び画像メモリー等を備える。ＣＰＵは、画像形成装置１を動作させるために必要な制御を、装置本体１００等の画像形成装置１の上記構成要素に対して実行する。ＲＯＭは、画像形成装置１の動作の制御に必要なソフトウェアを記憶している。ＲＡＭは、ソフトウェアの実行時に発生するデータの一時的な記憶及びアプリケーションソフトの記憶等に利用される。画像メモリーは、画像データ(原稿読取部２００から出力された画像データ、ファクシミリ受信の画像データ等)を一時的に記憶する。
【００３１】
制御部５００は、機能ブロックとして、受信モード実行部５０１、ＩＰアドレス取得部５０３、ＩＰアドレス登録部５０５、受信拒否設定部５０７、及び、受信拒否処理部５０９を備える。
【００３２】
受信モード実行部５０１は、自動受信モードと手動受信モードとを選択的に実行する。自動受信モードは、相手先装置３が画像形成装置１にファクシミリを送信してきたとき、画像形成装置１の通信部６００が、そのファクシミリを自動で受信するモードである。手動受信モードは、画像形成装置１のユーザーが操作部４００を操作することにより、画像形成装置１の通信部６００が、相手先装置３から送信されてくるファクシミリを受信するモードである。
【００３３】
受信モード実行部５０１は、ユーザーが、操作部４００を操作して、ファクシミリの受信モードを、自動受信モードに設定すれば、自動受信モードを実行し、手動受信モードに設定すれば、手動受信モードを実行する。
【００３４】
手動受信には、二つの態様がある。一つは、画像形成装置１のユーザーが相手先装置３のユーザーと電話で会話をし、ファクシミリ通信をする意思を確認した後、相手先装置３のユーザーがファクシミリを送信する操作をし、かつ画像形成装置１のユーザーがファクシミリを受信する操作をすることにより、通信部６００がファクシミリを受信する態様である(通話手動受信)。もう一つは、画像形成装置１のユーザーが相手先装置３のユーザーと電話で会話せずに、いわゆる「ピーヒョロロ音」、すなわちＣＥＤ(called)信号が聞こえたときに、ファクシミリを受信する操作をすることにより、通信部６００がファクシミリを受信する態様である(非通話手動受信)。
【００３５】
ＩＰアドレス取得部５０３、ＩＰアドレス登録部５０５、受信拒否設定部５０７、及び、受信拒否処理部５０９は、ファクシミリの受信拒否機能を実現する機能ブロックである。
【００３６】
ＩＰアドレス取得部５０３は、通信部６００と相手先装置３との間で、ＳＩＰ及びＩＰネットワーク５を用いて、ファクシミリ通信や電話通信がされるときに、相手先装置３に設定されているＩＰアドレスを取得する。従って、ＩＰアドレス取得部５０３は、相手先装置３が画像形成装置１にファクシミリを送信してきたとき、相手先装置３に設定されているＩＰアドレスを取得する。
【００３７】
ＩＰアドレス登録部５０５は、通信部６００がファクシミリを受信すべき相手先装置３に設定されているＩＰアドレスが予め登録されている。ＩＰアドレス登録部５０５は、予め定められた条件が成立した場合、ＩＰアドレス取得部５０３が取得したＩＰアドレスを登録する。
【００３８】
受信拒否設定部５０７には、画像形成装置１のユーザーが操作部４００を操作することにより、第１の受信拒否設定や第２の受信拒否設定がされる。
【００３９】
第１の受信拒否設定は、画像形成装置１のユーザーが操作部４００を操作して、ファクシミリを受信したくない相手先装置３に設定されているファクシミリ番号を入力することにより、その相手先装置３から送信されてくるファクシミリに対して、通信部６００に受信を拒否させる設定である。
【００４０】
第２の受信拒否設定は、相手先装置３に設定されているファクシミリ番号が画像形成装置１に通知されないで、相手先装置３から送信されてくるファクミリ(自局番号非通知のファクシミリ)に対して、通信部６００に受信を拒否させる設定である。
【００４１】
受信拒否処理部５０９は、第１の受信拒否設定がされている場合、自動受信モードのときに第１の受信拒否処理をする。詳しく説明すると、受信拒否処理部５０９は、自動受信モードのときに、画像形成装置１にファクシミリを送信してくる相手先装置３に設定されているファクシミリ番号が、受信拒否設定部５０７に設定されているか否かを判断する。そのファクシミリ番号が受信拒否設定部５０７に設定されていれば、受信拒否処理部５０９は、通信部６００にそのファクシミリの受信を拒否させる。一方、そのファクシミリ番号が受信拒否設定部５０７に設定されていなければ、受信拒否処理部５０９は、通信部６００にそのファクシミリの受信をさせる。
【００４２】
受信拒否処理部５０９は、第２の受信拒否設定がされている場合、自動受信モードのときに、第２の受信拒否処理をする。詳しく説明すると、先ほど説明したように、ＩＰアドレス取得部５０３は、相手先装置３が画像形成装置１にファクシミリを送信してきたとき、相手先装置３に設定されているＩＰアドレスを取得する。受信拒否処理部５０９は、自動受信モードのときに、相手先装置３に設定されているファクシミリ番号を画像形成装置１に通知しないで、相手先装置３が画像形成装置１にファクシミリを送信してきたとき、ＩＰアドレス取得部５０３が取得したＩＰアドレスと一致するＩＰアドレスが、ＩＰアドレス登録部５０５に登録されているか否かを判断する。
【００４３】
受信拒否処理部５０９は、ＩＰアドレス取得部５０３が取得したＩＰアドレスと一致するＩＰアドレスが、ＩＰアドレス登録部５０５に登録されていないと判断した場合、通信部６００にファクシミリの受信を拒否させ、登録されていると判断した場合、通信部６００にファクシミリを受信させる。
【００４４】
相手先装置３に設定されているＩＰアドレスを、ＩＰアドレス登録部５０５に登録する動作について説明する。図３は、その動作を説明するフローチャートである。画像形成装置１と相手先装置３とは、ＳＩＰ及び図２に示すＩＰネットワーク５を用いて、電話通信やファクシミリ通信をする。
【００４５】
受信拒否設定部５０７には、第２の受信拒否設定がされている(ステップＳ１)。第２の受信拒否設定は、上述したように、自局番号非通知のファクシミリの受信を拒否する設定である。受信拒否設定部５０７に、第１の受信拒否設定がされていても、されてなくてもよい。第１の受信拒否設定は、上述したように、特定のファクシミリ番号の相手先装置３から送信されてくるファクシミリの受信を拒否する設定である。
【００４６】
受信モード実行部５０１は、手動受信モードを実行している(ステップＳ２)。
【００４７】
相手先装置３のユーザーが、画像形成装置１のユーザーにＳＩＰを用いて電話をかけると、通信部６００は、相手先装置３からのＩＮＶＩＴＥ要求を受信する。ＩＰアドレス取得部５０３は、ＩＮＶＩＴＥ要求に含まれる相手先装置３に設定されているＩＰアドレスを取得する(ステップＳ３)。
【００４８】
通信部６００は、ＩＮＶＩＴＥ要求の受信後、通信部６００と相手先装置３との間でＳＩＰによるセッションが確立したか否か判断する(ステップＳ４)。すなわち、通信部６００は、相手先装置３のユーザーからの電話を、画像形成装置１のユーザーが受けたか否かを判断する。
【００４９】
通信部６００と相手先装置３との間でＳＩＰによるセッションが確立していないとき(ステップＳ４でＮｏ)、すなわち、画像形成装置１のユーザーが、相手先装置３のユーザーからの電話を受けていないとき、ステップＳ２に戻る。
【００５０】
通信部６００と相手先装置３との間でＳＩＰによるセッションが確立したとき(ステップＳ４でＹｅｓ)、すなわち、画像形成装置１のユーザーが、相手先装置３のユーザーからの電話を受けたとき、ステップＳ５へ進む。
【００５１】
ステップＳ５において、通信部６００が相手先装置３と電話通信を実行する。この電話通信において、相手先装置３のユーザーと画像形成装置１のユーザーとの間で会話がされる。すなわち、相手先装置３のユーザーは、画像形成装置１のユーザーにファクシミリを送信することを電話で知らせる。通信部６００と相手先装置３との間で音声データのやり取りがされていれば、通信部６００は、会話がされたと判断できる。
【００５２】
相手先装置３のユーザーが相手先装置３を操作して、相手先装置３から画像形成装置１に、ＳＩＰ及びＩＰネットワーク５を用いてファクシミリを送信する(ステップＳ６)。
【００５３】
画像形成装置１のユーザーが、操作部４００を操作することにより、ステップＳ６で送信されてくるファクシミリを、通信部６００で受信する(ステップＳ７)。
【００５４】
通信部６００は、ステップＳ７で受信したファクシミリが、自局番号非通知のファクシミリか否かを判断する(ステップＳ８)。すなわち、相手先装置３に設定されているファクシミリ番号を画像形成装置１に通知しないで、相手先装置３が画像形成装置１に送信してきたファクシミリか否か判断される。
【００５５】
通信部６００が、自局番号非通知のファクシミリと判断したとき(ステップＳ８でＹｅｓ)、ＩＰアドレス登録部５０５は、ステップＳ３でＩＰアドレス取得部５０３が取得したＩＰアドレスを登録する(ステップＳ９)。
【００５６】
これに対して、通信部６００が、自局番号非通知のファクシミリと判断しないとき(ステップＳ８でＮｏ)、ＩＰアドレス登録部５０５は、ステップＳ３でＩＰアドレス取得部５０３が取得したＩＰアドレスを登録しない(ステップＳ１０)。自局番号非通知のファクシミリと判断しないとは、相手先装置３に設定されているファクシミリ番号を画像形成装置１に通知して、相手先装置３が画像形成装置１にファクシミリを送信してきた場合である。
【００５７】
ステップＳ９で登録されたＩＰアドレスは、自局番号非通知のファクシミリを画像形成装置１が受信をしない処理(第２の受信拒否処理)で利用される。
【００５８】
第２の受信拒否処理について説明する。図４は、その動作を説明するフローチャートである。受信拒否設定部５０７には、自局番号非通知のファクシミリの受信を拒否する設定(第２の受信拒否設定)がされている(ステップＴ１)。受信拒否設定部５０７に、第１の受信拒否設定がされていても、されてなくてもよい。
【００５９】
受信モード実行部５０１は、自動受信モードを実行している(ステップＴ２)。
【００６０】
通信部６００は、相手先装置３からファクシミリ送信がされてきたか否かを判断する(ステップＴ３)。このファクシミリ送信には、ＳＩＰ及びＩＰネットワーク５が利用される。
【００６１】
通信部６００が、相手先装置３からファクシミリ送信がされてきたと判断しないとき(ステップＴ３でＮｏ)、ステップＴ３が繰り返される。
【００６２】
通信部６００が、相手先装置３からファクシミリ送信がされてきたと判断したとき(ステップＴ３でＹｅｓ)、通信部６００は、相手先装置３からのＩＮＶＩＴＥ要求を受信する。ＩＰアドレス取得部５０３は、ＩＮＶＩＴＥ要求に含まれる相手先装置３に設定されているＩＰアドレスを取得する(ステップＴ４)。
【００６３】
受信拒否処理部５０９は、ステップＴ３で送信されてきたファクシミリが、自局番号非通知のファクシミリか否かを判断する(ステップＴ５)。
【００６４】
受信拒否処理部５０９は、自局番号非通知のファクシミリと判断したとき(ステップＴ５でＹｅｓ)、相手先装置３に設定されているＩＰアドレスと一致するＩＰアドレスが、ＩＰアドレス登録部５０５に登録されているか否かを判断する(ステップＴ６)。すなわち、受信拒否処理部５０９は、ステップＴ４で取得したＩＰアドレスと一致するＩＰアドレスが、ＩＰアドレス登録部５０５に登録されているか否かを判断する。
【００６５】
受信拒否処理部５０９は、ステップＴ４で取得したＩＰアドレスと一致するＩＰアドレスが、ＩＰアドレス登録部５０５に登録されていると判断した場合(ステップＴ６でＹｅｓ)、通信部６００にステップＴ３で送信されてきたファクシミリを受信させる(ステップＴ７)。
【００６６】
受信拒否処理部５０９は、ステップＴ４で取得したＩＰアドレスと一致するＩＰアドレスが、ＩＰアドレス登録部５０５に登録されていると判断しない場合(ステップＴ６でＮｏ)、通信部６００にステップＴ３で送信されてきたファクシミリの受信を拒否させる(ステップＴ８)。
【００６７】
受信拒否処理部５０９が、自局番号非通知のファクシミリと判断しないとき(ステップＴ５でＮｏ)、すなわち、相手先装置３に設定されているファクシミリ番号を画像形成装置１に通知して、相手先装置３が画像形成装置１にファクシミリを送信してきたとき、通信部６００にステップＴ３で送信されてきたファクシミリを受信させる(ステップＴ７)。
【００６８】
本実施形態の主な効果を説明する。ＳＩＰを利用したファクシミリ通信のように、ファクシミリ通信にＩＰアドレスを利用するファクシミリ通信では、相手先装置３がファクシミリを送信してくるときに、相手先装置３に設定されているＩＰアドレスが通知される。本実施形態に係る画像形成装置１は、それを利用して、自局番号非通知のファクシミリが送信されてきた場合に、ジャンクファックスか否かを判断する。
【００６９】
詳しく説明すると、図４を参照して、相手先装置３から送信されてきたファクシミリが自局番号非通知のファクシミリであれば(ステップＴ５でＹｅｓ)、相手先装置３に設定されているＩＰアドレスと一致するＩＰアドレスがＩＰアドレス登録部５０５に登録されているか否かを判断する(ステップＴ６)。相手先装置３に設定されているＩＰアドレスと一致するＩＰアドレスがＩＰアドレス登録部５０５に登録されていない場合(ステップＴ６でＮｏ)、通信部６００にファクシミリの受信を拒否させ(ステップＴ８)、登録されている場合(ステップＴ６でＹｅｓ)、通信部６００にファクシミリを受信させる(ステップＴ７)。
【００７０】
従って、受信拒否設定部５０７に自局番号非通知のファクシミリの受信を拒否する設定(第２の受信拒否設定)がされている場合でも、画像形成装置１(通信部６００)がファクシミリを受信すべき相手先装置３に設定されているＩＰアドレスをＩＰアドレス登録部５０５に予め登録しておけば(例えば、図３のステップＳ９)、画像形成装置１がファクシミリを受信すべき相手先装置３のユーザーが自局番号の登録を忘れていても、画像形成装置１は相手先装置３からのファクシミリを受信する。よって、本実施形態に係る画像形成装置１によれば、ジャンクファックスの受信を拒否しつつ、自局番号の登録を忘れている相手先装置３から送信されてくるファクシミリを受信することができる。
【００７１】
本実施形態では、不特定多数の相手先装置３に設定されているＩＰアドレスのうち、どのＩＰアドレスをＩＰアドレス登録部５０５に登録するかを、次のようにして決定する。図３を参照して、通信部６００と相手先装置３との間でＳＩＰによるセッションが確立した状態で(ステップＳ４でＹｅｓ)、処理(ａ)や処理(ｂ)がされる。
【００７２】
処理(ａ)は以下の通りである。通信部６００が、電話通信を実行し(ステップＳ５)、かつ、相手先装置３に設定されているファクシミリ番号が画像形成装置１に通知されないで、手動受信モードで相手先装置３から送信されてくるファクシミリを受信する場合(自局番号非通知のファクシミリを受信する場合：ステップＳ８でＹｅｓ)、ＩＰアドレス登録部５０５は、ステップＳ３でＩＰアドレス取得部５０３が取得したＩＰアドレスを登録する(ステップＳ９)。
【００７３】
処理(ｂ)は以下の通りである。通信部６００が、電話通信を実行し(ステップＳ５)、かつ、相手先装置３に設定されているファクシミリ番号が画像形成装置１に通知されて、手動受信モードで相手先装置３から送信されてくるファクシミリを受信する場合(ステップＳ８でＮｏ)、ＩＰアドレス登録部５０５は、ステップＳ３でＩＰアドレス取得部５０３が取得したＩＰアドレスを登録しない(ステップＳ１０)。
【００７４】
相手先装置３のユーザーが画像形成装置１のユーザーにファクシミリを送信することを電話で伝え(ステップＳ５)、そして、相手先装置３から送信されてくるファクシミリが手動受信モードで受信される(ステップＳ６，Ｓ７)。この場合、相手先装置３が送信するファクシミリは、ジャンクファックスでないので、今回以降、その相手先装置３から送信されてくるファクシミリは、自局番号非通知のファクシミリでも、画像形成装置１は受信できるようにする必要がある。
【００７５】
そこで、処理(ａ)で説明したように、相手先装置３に設定されているＩＰアドレスをＩＰアドレス登録部５０５に登録する(ステップＳ９)。これにより、今回以降、その相手先装置３が送信されてくるファクシミリが自局番号非通知のファクシミリでも(図４のステップＴ５でＹｅｓ)、画像形成装置１は、ファクシミリを受信することができる(図４のステップＴ６でＹｅｓ、ステップＴ７)。
【００７６】
一方、処理(ｂ)で説明したように、ステップＳ８において、自局番号非通知のファクシミリでない場合、すなわち、相手先装置３が自局番号を通知してファクシミリを送信してきた場合、その相手先装置３に設定されているＩＰアドレスをＩＰアドレス登録部５０５に登録しない(ステップＳ１０)。相手先装置３から送信されてくるファクシミリが、自局番号非通知のファクシミリでない場合、自局番号非通知のファクシミリの受信を拒否する設定(第２の受信拒否設定)が受信拒否設定部５０７にされていても、その相手先装置３から送信されてくるファクシミリを受信できるからである。そこで、ＩＰアドレスをＩＰアドレス登録部５０５に登録しないようにしている(ステップＳ１０)。これにより、ＩＰアドレス登録部５０５に登録するＩＰアドレスを絞ることができるので、ＩＰアドレス登録部５０５のメモリー容量を削減することができる。
【００７７】
また、本実施形態によれば、受信拒否処理部５０９は、自動受信モードの場合(図４のステップＴ２)に、自局番号非通知のファクシミリの受信を拒否する処理(第２の受信拒否処理)をし、手動受信モードの場合にその処理をしない。手動受信モードの場合、画像形成装置１のユーザーが、ファクシミリを受信する操作をしないことにより、ジャンクファックスの受信を拒否できるからである。
【符号の説明】
【００７８】
１  画像形成装置(ファクシミリ装置)
３  相手先装置
５０１  受信モード実行部
５０３  ＩＰアドレス取得部
５０５  ＩＰアドレス登録部
５０７  受信拒否設定部
５０９  受信拒否処理部
６００  通信部
【図１】
0006018992.tif 000002
【図２】
0006018992.tif 000003
【図３】
0006018992.tif 000004
【図４】
0006018992.tif 000005